(57)【要約】【課題】  タングを二枚のブレードで形成するスライダーを針本体に対して後退させるクリア時に、タングをスライダー溝に沈めるための案内を確実に行わせることが可能な、横編機の複合針を提供する。【解決手段】  （ｂ）に示すクリア時には、後部１６ｃがカム１２ｅで押上げられ、揺動部材１６が下揺動関節１６ａと基体１５の上揺動関節１５ｃとの係合部を支点として揺動する。ブレード１４は下降し、タング１４ａはスライダー溝１２ｃ内に沈められ、編目は針幹１２ｂに沿って円滑に後退することができる。カム１２ｅは、スライダー溝１２ｃよりも後方に設けられるので、スライダー溝１２ｃを形成する加工の影響を受けないで、針本体１２と同等の幅で形成することができる。カム１２ｅが作用する揺動部材１６を、ブレード１４よりも厚くすることもできるので、タング１４ａをスライダー溝１２ｃに沈めるための押上げを確実に行わせることができる。【選択図】図１
2012132126.tif 000002
【特許請求の範囲】
【請求項１】
前端にフックを有し、フックよりも後方の針幹にスライダー溝が形成される針本体と、
前端に編目の係止が可能なタングが形成される二枚のブレードを有し、針本体のスライダー溝にブレードの少なくとも一部が収容されて前後方向に案内され、針本体に対する相対移動でタングがフックを開閉するスライダーとを含む横編機の複合針において、
スライダーは、
前後方向に沿って延びる直線状の形状を有し、前部の下側に上揺動関節が設けられ、針本体の上方で前後方向に移動可能な基体と、
基体の前部の下方で前後方向に延びる棹形状を有し、中間部の上側に基体の上揺動関節に適合する形状を有する下揺動関節が設けられ、下揺動関節が基体の上揺動関節と係合して、揺動変位が可能な状態で基体に連結され、下揺動関節よりも前方の下側にブレードの後部が固定される揺動部材とを含み、
針本体は、
スライダーが針本体に対して後退してタングがフックを開放し、フックから後退する編目をタングに受けるクリア時に、揺動部材を下揺動関節と上揺動関節との係合部を支点として基体に対し揺動変位させ、タングの先端部をスライダー溝内に沈めるカムを、スライダー溝よりも後方に有し、
上揺動関節と下揺動関節の一方は、他方側に突出する板状の凸部であり、該凸部には、前後方向の長さが基端よりも増大する増大部分を有し、
上揺動関節と下揺動関節の他方は、一方の凸部を幅方向から遊挿可能な凹部を有する板状の部分であり、該凹部が凸部の基端に臨む開口部は、前後方向の間隔が凸部の増大部分の長さよりも小さい、
ことを特徴とする横編機の複合針。
【請求項２】
前記カムは、前記針本体で前記スライダーの前記揺動部材が相対移動する範囲の後部に、揺動部材の後端に下方から作用するように形成されている、
ことを特徴とする請求項１記載の横編機の複合針。
【請求項３】
前記針本体には、前記揺動部材の後部を上下から案内するように、後方に窪む案内部が形成されており、
前記カムは案内部の後部に形成されている、
ことを特徴とする請求項２記載の横編機の複合針。
【発明の詳細な説明】
【技術分野】
【０００１】
本発明は、針床に並設される針溝に収容され、針床の先端側が臨む歯口に進退するフックを有する針本体と、針本体に対する相対移動でフックを開閉するタングを有するスライダーとを含む、横編機の複合針に関する。
【背景技術】
【０００２】
従来から、横編機では、針床に並設される針溝に収容し、針床の先端側が臨む歯口に編針先端に設けるフックを進退させ、歯口で編糸の給糸をフックに受けながら、編地を編成している。編針としては、フックをべらで開閉するべら針とともに、フックをスライダーで開閉する複合針が使用される。
【０００３】
横編機では、歯口を挟む前後の両側に針床を設けて対向させ、各針床は、歯口側が高く、歯口から離れると低くなるように傾斜している。以下の説明では、個別の針床を基準として方向を定め、歯口側を前、歯口から離れる側を後とし、針溝内で編針が移動する方向を前後の方向とする。また、針溝内で浮く方向を上とし、沈む方向を下として上下の方向とする。さらに、針溝の幅、すなわち側壁間の間隔となる方向を幅方向とする。
【０００４】
図５は、従来からの複合針１の主要部分の概略的な構成を、針溝に収容されている状態で示す（たとえば、特許文献１参照）。ただし、針床や針溝に関する構成は図示を省略している。複合針１は、針本体２とスライダー３とを含む。スライダー３は、二枚のブレード４と基体５とを含む。複合針１には、ニードルジャック６も含まれる。これら複合針１の主要な構成部品は、金属板を加工して形成される。
【０００５】
針本体２は、前端のフック２ａと、フック２ａに後続する針幹２ｂとを有する。針幹２ｂには、紙面に垂直な幅方向の中間に、スライダー溝２ｃが設けられている。スライダー溝２ｃは、底面２ｄを有する。底面２ｄから幅方向の両側に立上がる側壁には、切欠２ｅが設けられ、切欠２ｅの上部にフォーク部２ｆが形成されている。針本体２の後端側には、結合部２ｇが設けられている。ブレード４は、二枚が重なった状態で、少なくとも下部が針本体２のスライダー溝２ｃに収容される。ブレード４の前端には、タング４ａが設けられ、タング４ａよりも後方からは、アーム４ｂが延出される。アーム４ｂの後端付近には、結合部４ｃが設けられ、前端付近には振れ止め突起４ｄが設けられる。基体５は、前端付近に、ブレード４の振れ止め突起４ｄを収容する突起収容部５ａが設けられ、後方にはアーム５ｂが延出される。基体５は、ブレード４の結合部４ｃと結合する結合部５ｃも備えており、ブレード４と基体５との結合状態で、スライダー３として機能する。針本体２の後端付近に設ける結合部２ｇには、ニードルジャック６の前端に設ける結合部６ａが嵌合する。
【０００６】
図５（ａ）は、フック２ａの鈎口をタング４ａで閉じている状態を示す。図５（ｂ）は、針本体２に対してスライダー３が後退し、開いているフック２ａの鈎口から、フック２ａ内に係止している編目がタング４ａに移行可能なクリアの状態を示す。タング４ａは、スライダー溝２ｃ内に沈められ、針幹２ｂに沿って後退する編目に掛かる等の支障が生じないようにする必要がある。図の複合針１では、タング４ａに後続するブレード４の上部を幅方向の両側に開いて湾曲部４ｅを形成し、フック２ａに係止する編目を、上方からトランスファージャックで受取る際などの便宜が図られている。図５（ｂ）では、湾曲部４ｅをフォーク部２ｆが臨む切欠２ｅに案内し、フォーク部２ｆの下側で湾曲部４ｅを下方に押圧して、タング４ａを沈めるようにしている。なお、二枚のブレード４を使用するスライダー３では、タング４ａがフック２ａを越えて歯口に進出することも可能である。
【０００７】
図５（ｃ）は、図５（ｂ）の切断面線Ｃ−Ｃから見た断面構成を示す。ブレード４は、二枚が重ねられているので、湾曲部４ｅは、中心線１ａの両側に開いている。針幹２ｂに設けるスライダー溝２ｃの両側壁に切欠２ｅおよびフォーク部２ｆが設けられ、湾曲部４ｅを下方に押圧している。
【先行技術文献】
【特許文献】
【０００８】
【特許文献１】特許第３５７７０３８号公報
【発明の概要】
【発明が解決しようとする課題】
【０００９】
図５（ｃ）に示すように、針本体２の針幹２ｂでは、幅方向の中間にスライダー溝２ｃを形成して、側壁に設ける切欠２ｅにブレード４の湾曲部４ｅを案内して、クリア時にタング４ａをスライダー溝２ｃ内に沈めるようにしている。スライダー溝２ｃは、針本体２の上面側から溝加工を行って形成するので、フォーク部２ｆも同時に加工され、薄板状の壁面となる。ブレード４も薄板状であり、フォーク部２ｆの下面と湾曲部４ｅとの係合は、薄板同士で行われる。
【００１０】
横編機では、編針の配設密度が大きくなり、配設ピッチが小さくなると、ファインゲージと呼ばれる。ファインゲージでは、針溝の幅も小さくなり、針溝に収容可能な針本体２の幅も小さくなる。図５のような、クリア時の押圧に湾曲部４ｅを利用する構成では、針幹２ｂの側壁やブレード４の板厚が薄くなるため、フォーク部２ｆの下面と湾曲部４ｅの上端とが当接し難くなってしまう。
【００１１】
本発明の目的は、タングを二枚のブレードで形成するスライダーを針本体に対して後退させるクリア時に、タングをスライダー溝に沈めるための案内を確実に行わせることが可能な、横編機の複合針を提供することである。
【課題を解決するための手段】
【００１２】
本発明は、前端にフックを有し、フックよりも後方の針幹にスライダー溝が形成される針本体と、
前端に編目の係止が可能なタングが形成される二枚のブレードを有し、針本体のスライダー溝にブレードの少なくとも一部が収容されて前後方向に案内され、針本体に対する相対移動でタングがフックを開閉するスライダーとを含む横編機の複合針において、
スライダーは、
前後方向に沿って延びる直線状の形状を有し、前部の下側に上揺動関節が設けられ、針本体の上方で前後方向に移動可能な基体と、
基体の前部の下方で前後方向に延びる棹形状を有し、中間部の上側に基体の上揺動関節に適合する形状を有する下揺動関節が設けられ、下揺動関節が基体の上揺動関節と係合して、揺動変位が可能な状態で基体に連結され、下揺動関節よりも前方の下側にブレードの後部が固定される揺動部材とを含み、
針本体は、
スライダーが針本体に対して後退してタングがフックを開放し、フックから後退する編目をタングに受けるクリア時に、揺動部材を下揺動関節と上揺動関節との係合部を支点として基体に対し揺動変位させ、タングの先端部をスライダー溝内に沈めるカムを、スライダー溝よりも後方に有し、
上揺動関節と下揺動関節の一方は、他方側に突出する板状の凸部であり、該凸部には、前後方向の長さが基端よりも増大する増大部分を有し、
上揺動関節と下揺動関節の他方は、一方の凸部を幅方向から遊挿可能な凹部を有する板状の部分であり、該凹部が凸部の基端に臨む開口部は、前後方向の間隔が凸部の増大部分の長さよりも小さい、
ことを特徴とする横編機の複合針である。
【００１３】
また本発明で、前記カムは、前記針本体で前記スライダーの前記揺動部材が相対移動する範囲の後部に、揺動部材の後端に下方から作用するように形成されている、
ことを特徴とする。
【００１４】
また本発明で、前記針本体には、前記揺動部材の後部を上下から案内するように、後方に窪む案内部が形成されており、
前記カムは案内部の後部に形成されている、
ことを特徴とする。
【発明の効果】
【００１５】
本発明によれば、スライダーのタングは、二枚のブレードの前部に形成され、ブレードの少なくとも一部は、針本体のスライダー溝に収容される。二枚のブレードは、後部が揺動部材の中間部の上側に設ける下揺動関節よりも前方の下側に固定される。下揺動関節は、スライダーの基体に設けられる上揺動関節と係合する。係合部は、揺動部材が基体に対して揺動変位する支点となる。針本体に対してスライダーが後退するクリア時に、揺動部材に作用してタングの先端部をスライダー溝内に沈めるカムを、針本体のスライダー溝よりも後方に有する。カムはスライダー溝の外部となるので、スライダー溝を形成する加工の影響を受けないで、針本体と同等の幅で形成することができる。カムが作用する揺動部材を、ブレードよりも厚くすることもできるので、揺動部材に固定されるブレードのタングをスライダー溝に沈めるための押上げを確実に行わせることができる。
基体と揺動部材との係合は、板状の凸部が板状の凹部に遊挿されて行われるので、凸部と凹部とが幅方向に重ならずに係合部が形成される。針溝の幅が狭くなり、針溝に収容される針本体や揺動部材の板厚が薄くなっても、係合部形成のために重なる部分の板厚を薄くする必要が無く、確実な揺動支点を得ることができる。
【００１６】
また本発明によれば、スライダーの揺動部材の後端に、針本体に設けるカムで下方から作用させ、タングの先端部をスライダー溝内に沈めるように、確実に揺動させることができる。
【００１７】
また本発明によれば、スライダーの揺動部材の後部を、針本体に形成する案内部で上下から挟み、針本体に対してスライダーが進退する際に、揺動部材を揺動させる案内を確実に行うことができる。
【図面の簡単な説明】
【００１８】
【図１】図１は、本発明の一実施例としての複合針１１の概略的な構成を示す、部分的な側面図である。
【図２】図２は、図１の複合針１１を構成する主要な部品と、それらの組合せ状態を示す側面図である。
【図３】図３は、本発明の他の実施例としての複合針２１の概略的な構成を示す、部分的な側面図である。
【図４】図４は、図３の複合針２１を構成する主要な部品と、それらの組合せ状態を示す側面図である。
【図５】図５は、従来からの複合針１の概略的な構成を示す、部分的な側面図および正面断面図である。
【発明を実施するための形態】
【００１９】
以下、図１および図２では、本発明の一実施例として、横編機の複合針１１の概略的な構成を示す。図３および図４では、本発明の他の実施例として、横編機の複合針２１の概略的な構成を示す。複合針１１と複合針２１とで共通する事項についての説明は、両方の参照符を併記して、一括して行うけれども、それぞれの実施例に使用する部分は、必ずしも併用可能ではない。
【００２０】
各図で、先に説明した部分と対応する部分には同一の参照符を付し、重複する説明を省略する場合がある。また、説明の対象となる図には付していない参照符で、先に説明した図には付してあるものに言及する場合もある。
【実施例】
【００２１】
図１および図３は、本発明の実施例としての複合針１１，２１の概略的な構成をそれぞれ示す。複合針１１，２１は針本体１２，２２とスライダー１３，２３とを含み、スライダー１３，２３は二枚のブレード１４，２４と基体１５，２５と揺動部材１６，２６とを含み、さらに複合針１１，２１には、ニードルジャック６も含まれる。針本体１２，２２で、前端のフック１２ａ，２２ａに後続する針幹１２ｂ，２２ｂには、スライダー溝１２ｃ，２２ｃが設けられている。スライダー溝１２ｃ，２２ｃは、底面１２ｄ，２２ｄを有する。ただし、スライダー溝１２ｃは針幹１２ｂの内側、スライダー溝２２ｃは針幹２２ｂの外側にそれぞれ形成されている。スライダー溝１２ｃ，２２ｃの後方には、カム１２ｅ，２２ｅが形成されている。針本体１２，２２の後部には結合部１２ｇ，２２ｇが設けられ、ニードルジャック６の結合部６ａと結合している。
【００２２】
ブレード１４，２４は、二枚が重なった状態で、少なくとも下部がスライダー溝１２ｃ，２２ｃに収容され、前端にはタング１４ａ，２４ａ、タング１４ａ，２４ａよりも後方からはアーム１４ｂ，２４ｂが、それぞれ設けられる。アーム１４ｂ，２４ｂの後端付近には、結合部１４ｃ，２４ｃが設けられる。アーム１４ｂ，２４ｂの中間部には、上方に突出する振れ止め突起１４ｄ，２４ｄが立設される。タング１４ａ，２４ａの終端部には、段状の肩部１４ｅ，２４ｅが形成されている。
【００２３】
基体１５，２５は、針本体１２，２２の上方で前後方向に移動可能であり、前端にブレード１４，２４の振れ止め突起１４ｄ，２４ｄを収容する突起収容部１５ａ，２５ａが設けられ、前後方向に沿って延びる直線状の形状を有するアーム１５ｂ，２５ｂの前部の下側に上揺動関節１５ｃ，２５ｃが設けられる。なお、基体１５，２５の一側面には、針溝内で前後方向に摺動する際に、側面と摺接して摺動抵抗を生じさせる摺動片１７，２７が設けられている。
【００２４】
揺動部材１６，２６は、基体１５，２５の前部の下方で前後方向に延びる棹形状を有し、中間部の上側に基体１５，２５の上揺動関節１５ｃ，２５ｃに適合する形状を有する下揺動関節１６ａ，２６ａが設けられる。揺動部材１６，２６は、下揺動関節１６ａ，２６ａが基体１５，２５の上揺動関節１５ｃ，２５ｃと係合して、揺動変位が可能な状態で基体１５，２５に連結される。下揺動関節１６ａ，２６ａの前方で、揺動部材１６，２６の前端付近に、ブレード１４，２４の後部の結合部１４ｃ，２４ｃを固定するための固定部１６ｂ，２６ｂが設けられる。結合部１４ｃ，２４ｃに後部が固定されるブレード１４，２４の位置は、揺動部材１６，２６に対し、下揺動関節１６ａ，２６ａよりも前方の下側となる。
【００２５】
図１（ａ）および図３（ａ）は、フック１２ａ，２２ａの鈎口をタング１４ａ，２４ａで閉じている状態を示す。ブレード１４，２４は、スライダー溝１２ｃ，２２ｃに収容され、底面１２ｄ，２２ｄからの押上げでスライダー溝１２ｃ，２２ｃ内を浮上し、タング１４ａ，２４ａの先端がフック１２ａ，２２ａの先端に当接して、鈎口を閉じる。ブレード１４，２４の振れ止め突起１４ｄ，２４ｄは、上部が基体１５，２５に設ける突起収容部１５ａ，２５ａに収容される状態で、スライダー溝１２ｃ，２２ｃの幅方向への振れが抑制される。タング１４ａ，２４ａは、フック１２ａ，２２ａを越えて前方に進出させることもできる。
【００２６】
図１（ｂ）および図３（ｂ）は、クリア時の状態を示す。揺動部材１６，２６で、下揺動関節１６ａ，２６ａの後方となる後部１６ｃ，２６ｃの後端１６ｄ，２６ｄは、針本体１２，２２のカム１２ｅ，２２ｅによって押上げられる。カム１２ｅ，２２ｅは、揺動部材１６，２６が針本体１２，２２に対して相対移動する範囲の後部の位置に設けられる。この位置は、針本体１２，２２のスライダー溝１２ｃ，２２ｃよりも後方となるので、スライダー溝１２ｃ，２２ｃを加工する際の影響を受けず、カム１２ｅ，２２ｅを針本体１２，２２と同等の幅で形成することができる。カム１２ｅ，２２ｅが作用する揺動部材１６，２６を、一枚のブレード１４，２４よりも厚くすることもでき、揺動部材１６，２６に固定されるブレード１４，２４のタング１４ａ，２４ａをスライダー溝１２ｃ，２２ｃに沈めるための押上げを確実に行わせることができる。
【００２７】
揺動部材１６，２６は、下揺動関節１６ａ，２６ａと上揺動関節１５ｃ，２５ｃとの係合部を支点として基体１５，２５に対し揺動変位する。揺動部材１６，２６の前部には、タング１４，２４が固定されているので、揺動部材１６，２６の後端１６ｄ，２６ｄを押上げる揺動変位は、タング１４ａ，２４ａをスライダー溝１２ｃ，２２ｃ内に沈め、編目は針幹１２ｂ，２２ｂに沿って円滑に後退することができる。
【００２８】
なお、図３に示すように、複合針２１の針本体２２には、図３（ａ）のようにタング２４ａの先端でフック２２ａの鈎口を閉じている状態から、図３（ｂ）のようなクリア時までの範囲で、揺動部材２６の後部２６ｃを上下から挟んで案内するように後方に窪む案内部２２ｈが形成されている。案内部２２ｈは、窪みの上側と下側とに、突起２２ｉ，２２ｊをそれぞれ有する。突起２２ｉ，２２ｊは、スライダー２３の揺動部材２６の後部２６ｃまたは後端２６ｄに、上下から当接し、スライダー２３の進退に伴って揺動部材２６を揺動させる案内を確実に行うことができる。
【００２９】
図２および図４は、図１および図３の複合針１１，２１の主要部品の構成を示す。図２（ａ）および図４（ａ）は、基体１５，２５の構成を示す。基体１５，２５の後方には、アーム１５ｂ，２５ｂが延出され、バットなどが立設され、スライダー１３，２３としての駆動を受ける。上揺動関節１５ｃ，２５ｃは、下側に突出する板状の凸部であり、凸部には、前後方向の長さＬａが基端よりも増大する増大部分を有する。図２（ｂ）および図４（ｂ）は、揺動部材１６，２６の構成を示す。下揺動関節１６ａ，２６ａは、上揺動関節１５ｃ，２５ｃの凸部を幅方向から遊挿可能な凹部を有する板状の部分であり、凹部が凸部の基端に臨む開口部は、前後方向の間隔Ｌｂが凸部の増大部分の長さＬａよりも小さい。なお、下揺動関節１６ａ，２６ａを凸部、上揺動関節１５ｃ，２５ｃを凹部にすることもできる。
【００３０】
図２（ｃ）および図４（ｃ）は、ブレード１４，２４の構成を示す。ブレード１４，２４は薄板状で、二枚用いられる。肩部１４ｅ，２４ｅは、図５の湾曲部４ｅと同様に、上方で開くように湾曲させることもできる。
【００３１】
図２（ｄ）および図４（ｄ）は、スライダー１３，２３として、ブレード１４，２４、基体１５，２５および揺動部材１６，２６を、ブレード１４，２４の結合部１４ｃ，２４ｃと揺動部材１６，２６の固定部１６ｂ，２６ｂとの結合，および揺動部材１６，２６の下揺動関節１６ａ，２６ａと基体１５，２５の上揺動関節１５ｃ，２５ｃとの係合で、組合わせている状態を示す。基体１５，２５と揺動部材１６，２６との係合は、板状の凸部が板状の凹部に遊挿されて行われるので、幅方向に重ならずに係合部が形成される。針溝の幅が減少して、針溝に収容する針本体１２，２２や揺動部材１６，２６の板厚が薄くなっても、係合部では凸部と凹部とを重ねないので板厚をさらに薄くする必要が無く、確実な揺動支点を得ることができる。
【符号の説明】
【００３２】
１１，２１  複合針
１２，２２  針本体
１２ａ，２２ａ  フック
１２ｂ，２２ｂ  針幹
１２ｃ，２２ｃ  スライダー溝
１２ｅ，２２ｅ  カム
１３，２３  スライダー
１４，２４  ブレード
１４ａ，２４ａ  タング
１４ｃ，２４ｃ  結合部
１５，２５  基体
１５ｃ，２５ｃ  上揺動関節
１６，２６  揺動部材
１６ａ，２６ａ  下揺動関節
１６ｃ，２６ｃ  後部
２２ｈ  案内部
【図１】
2012132126.tif 000003
【図２】
2012132126.tif 000004
【図３】
2012132126.tif 000005
【図４】
2012132126.tif 000006
【図５】
2012132126.tif 000007